(57)【特許請求の範囲】
【請求項１】
ＬＥＤ光源と、
前記ＬＥＤ光源に接続されるバッテリーと、
前記バッテリーに商用電源から給電する充電回路とを具備し、上方には配管が存在する場所に設置される照明装置であって、
前記バッテリーと前記充電回路とは筐体内に設けられており、
前記筐体は、
底面板、左側面板、右側面板、正面板、背面板、及び上面板を有して構成された直方体状であって、設置後は前記配管によって上面板の取り外しができないものであり、
前記上面板の少なくとも正面側及び背面側には、それぞれ正面板及び背面板の上部に垂れ下げるように形成された正面カバー部及び背面カバー部が設けられ、
前記正面カバー部は、前記正面板の表面に対して１．０ｍｍ〜１．５ｍｍの間隔の隙間を開けて形成されており、
前記正面板は、前記上面板を取り外すことなく、筐体から取り外し可能に設けられており、
前記左側面板及び前記右側面板には、設置面に固定するためのＬ字固定具が設けられていることを特徴とする照明装置。
【発明の詳細な説明】
【技術分野】
【０００１】
本発明は、バッテリーを内蔵し、停電時でも使用できる照明装置に関する。
【背景技術】
【０００２】
停電時においては商用電源からの給電が遮断されるため、停電時にも使用可能な照明装置が従来より開発されている。このような照明装置は、非停電時（通常時）にバッテリーに商用電源から充電しておき、停電時には充電されたバッテリーからの給電によって照明用光源を点灯させることができる。
【０００３】
従来の停電時に使用できる照明装置として、例えば特許文献１に開示されている非常用照明装置が挙げられる。特許文献１に開示されている非常用照明装置は、レーザ光を用いており、特に火災時において大量の煙が発生した場合であっても、煙に光が遮断されることなく安全に誘導できるようになっている。
【０００４】
特許文献１に示す照明装置は、停電になったときに使用されることを念頭においておらず、あくまで火災等の際の避難誘導時にその効力を発揮するものであるが、停電時にバッテリーによって照明用の電源とする照明装置が特許文献２に開示されている。
【先行技術文献】
【特許文献】
【０００５】
【特許文献１】特開平８−２２７０１号公報
【特許文献２】特開２００６−２７８２４２号公報
【発明の概要】
【発明が解決しようとする課題】
【０００６】
特許文献１に開示されている従来の照明装置の筐体は、係止部材によって建物内の天井に据え付けられるものであり、特にメンテナンスを行いやすくすることは検討されていない。
また、特許文献２に開示されている従来の照明装置も、非常灯として建物内の天井に据え付けられることが開示されており、この照明装置も特にメンテナンスを行いやすくすることは検討されていない。
【０００７】
しかし、照明装置を設置する場所によっては、定期的なメンテナンスを必要とする場合もあり、メンテナンスをしやすいようにする筐体が望まれていた。
特に、例えば発電所内部、地下鉄内部など配管等の設備が多く存在する場所においては、配管と配管との隙間に照明装置を設置しなくてはならないなど、設置場所にも制限がある。
そして、このように狭い場所に設置された照明装置をメンテナンスする場合には、照明装置の筐体の正面側（使用者が正対する側）が取り外せてメンテナンスが行えなくてはならない。
しかしながら、従来の照明装置では、特にメンテナンスについて考慮された設計の筐体については何ら開示されておらず、メンテナンスしやすい構造の照明装置が望まれているという課題がある。
【０００８】
そこで本発明は上記課題を解決すべくなされ、その目的とするところは、狭い場所に設置されるような場合でもメンテナンスがしやすい照明装置を提供することにある。
【課題を解決するための手段】
【０００９】
本発明にかかる照明装置によれば、ＬＥＤ光源と、前記ＬＥＤ光源に接続されるバッテリーと、前記バッテリーに商用電源から給電する充電回路とを具備し、上方には配管が存在する場所に設置される照明装置であって、前記バッテリーと前記充電回路とは筐体内に設けられており、前記筐体は、底面板、左側面板、右側面板、正面板、背面板、及び上面板を有して構成された直方体状であって、設置後は前記配管によって上面板の取り外しができないものであり、前記上面板の少なくとも正面側及び背面側には、それぞれ正面板及び背面板の上部に垂れ下げるように形成された正面カバー部及び背面カバー部が設けられ、前記正面カバー部は、前記正面板の表面に対して１．０ｍｍ〜１．５ｍｍの間隔の隙間を開けて形成されており、前記正面板は、前記上面板を取り外すことなく、筐体から取り外し可能に設けられており、前記左側面板及び前記右側面板には、設置面に固定するためのＬ字固定具が設けられていることを特徴とする照明装置。
この構成を採用することによって、メンテナンス時には、正面板を止めているねじ等の固定手段を取り外し、正面板の下方を手前に引いて斜めにして正面板を筐体から取り外すことができる。このようにして容易にメンテナンスを行うことができる。このとき、正面カバー部と正面板との間には隙間が設けられているので、正面板を斜めに傾けた際に正面カバー部に正面板が当接することが無いので、カバー部が設けられた上面板を取り外すことなく、正面板の取り外しが行われる。
また、隙間の間隔を狭くしすぎると毛細管現象により水滴等が筐体内部に入り込んでしまうおそれがあるが、隙間を１．０ｍｍ〜１．５ｍｍとすることによって、毛細管現象の発生により水滴が入り込むことを防止できる。すなわち、この構成では、正面板を斜めに傾けた際に正面カバー部に正面板が当接することが無く、且つ水滴の入り込みも防止できる。
【発明の効果】
【００１１】
本発明によれば、カバー部が設けられた上面板を取り外すことなく、正面板の取り外しができるので、狭い場所に設置される場合であってもメンテナンスを容易に行うことができる。
【図面の簡単な説明】
【００１２】
【図１】本発明にかかる照明蔵置の右側面図である。
【図２】本発明にかかる照明装置の左側面図である。
【図３】本発明にかかる照明装置の正面図である。
【図４】本発明にかかる照明装置の背面図である。
【図５】正面板の着脱を説明する説明図である。
【発明を実施するための形態】
【００１３】
本実施形態の照明装置を図面に基づいて説明する。
図１は、照明装置の右側面図であり、図２は左側面図である。図３は、正面装置の正面図であり、図４は上方から見た平面図である。
本実施形態にかかる照明装置２０は、発電所内に設置されるバッテリーライトである。発電所内は、配管等が多く設置場所が狭いことが多い。本実施形態の照明装置としては、高さ２ｍ程度の箇所であって上方にはすぐに配管があり、上面板を取り外すことができない場所を想定している。
【００１４】
照明装置２０は、通常時は商用電源からの給電によりＬＥＤライト（特許請求の範囲でいうＬＥＤ光源）２２を点灯させ、停電時においては内蔵されたバッテリー（図示せず）からの給電によりＬＥＤライト２２を点灯させるものである。なお、バッテリーとしては、定格電圧１２Ｖの鉛蓄電池などを採用することができる。
【００１５】
照明装置２０は、筐体２１の右側面にライト用支柱２３を取り付けており、ライト用支柱２３の上端部にＬＥＤライト２２を設けている。
また、筐体２１内部には、バッテリー、バッテリーに商用電源から給電する充電回路（図示せず）、停電検出回路（図示せず）、停電時にＬＥＤライト２２の電源をバッテリーに切り替える出力切替回路（図示せず）が設けられている。
【００１６】
筺体２１は、底面板２７、左側面板２８、右側面板２９、正面板３０、背面板３１、及び上面板３２を有して構成された直方体状である。なお、ここでいう直方体にはすべての辺の長さが等しい立方体も含まれる概念であるとする。
筐体２１を構成する各板材は錆が発生しにくい金属または防錆処理がなされた金属製である。
【００１７】
上面板３２の、正面側及び背面側には、それぞれ正面板３０及び背面板３１の上部に垂れ下げるように形成された正面カバー部３４及び背面カバー部３６が設けられている。したがって、上面板３２を側面視すると、下方に開口するコの字状に形成されている。
正面カバー部３４と背面カバー部３６は、上方から落下する水滴等が筐体２１内に進入することを防止するために設けられている。
【００１８】
なお、上面板３２の、左側面側及び右側面側においても、左側面板２８及び右側面板２９の上部に垂れ下げるように形成された左側面カバー部及び右側面カバー部を設けてもよい。
【００１９】
正面カバー部３４は、正面板３０の表面との間に所定間隔の隙間を設けている。隙間としては、１．０ｍｍ〜１．５ｍｍが好ましい。隙間が狭すぎると、毛細管現象によって隙間から筐体２１内に水滴等が進入してしまうし、また正面板３０を取り外すときに傾けることができない。このため、隙間としては、１．０ｍｍ〜１．５ｍｍがよい。
なお、本実施形態では、正面板３０の上下方向の長さと、正面カバー部３４の上下方向の長さとの比率は、２０：１〜２５：１にしている。
【００２０】
図１に示すように、筐体２１の右側面板２９には、外部機器に接続可能な計測用コネクタ３８が設けられている。外部機器としては、発電所の中央コントロールシステム（図示せず）等を挙げることができる。中央コントロールシステムから筐体２１内のバッテリーの状態等を計測することができる。
さらに、筐体２１の右側面板２９には、ＤＣ電源用のコネクタ４０が設けられている。コネクタ４０からは、ＤＣ電源を採ることができる。
【００２１】
図２に示すように、筐体２１の左側面板２８には、商用ＡＣ電源を供給する電源ケーブル４２が設けられている。また、筐体２１の左側面板２８には、外部機器に接続されるＬＥＤライト制御コネクタ４３が設けられている。ＬＥＤライト制御コネクタ４３に接続される外部機器としては、火災報知器又は中央コントロールシステム等を挙げることができる。
【００２２】
また、筐体２１の左側面板２８には、電源スイッチ４４、ＬＥＤライト２２をオンオフするＬＥＤライトスイッチ４６、電源ライト４８、充電中ライト５０が設けられている。
【００２３】
左側面板２８及び右側面板２９のそれぞれの下端部には、設置面に固定するためのＬ字固定具５２，５２が設けられている。Ｌ字固定具５２は、直角に折り曲げられた金属製の固定具であり左側面板２８と設置面との間、右側面板２９と設置面との間を固定することができる。
【００２４】
上面板３２には、左右両側に取っ手５４、５４が取り付けられている。取っ手５４は、照明装置２０全体を持ち上げる際に使用される。
【００２５】
正面板３０は、複数本のねじ５６によって左側面板２８と右側面板２９に固定されている。左側面板２８と右側面板２９には正面側に向いたねじ受け部（図示せず）が設けられており、このねじ受け部に正面板３０が固定される。
【００２６】
図５に、正面板３０の着脱について示す。
本実施形態の想定では、照明装置２０の上方に配管が配置されているので、設置個所において内部をメンテナンスする際には、上面板３２を取り外すことは困難である。
そこで、内部をメンテナンスする際には、正面板３０を取り外して行うことが好ましい。
【００２７】
正面板３０を取り外すには、まず正面板３０を固定している複数のねじ５６をすべて取り外す。
そして、正面板３０の下部を正面側に引き正面板３０を傾ける。このとき正面板３０の上端部と、上面板３２の正面カバー部３４との間に隙間があるため、十分な角度に傾けることができる。そして傾けたまま斜め下方に正面板３０を抜き取ることで、正面板３０を取り外すことができる。
【００２８】
このとき、正面カバー部と正面板との間には隙間が設けられているので、正面板を斜めに傾けた際に正面カバー部に正面板が当接することが無いので、カバー部が設けられた上面板を取り外すことなく、正面板の取り外しが行われる。
【００２９】
このように、正面板３０のみを取り外して、筐体２１内を露出させることができるので、本実施形態のように照明装置２０全体を高所から降ろさなくてもメンテナンス作業が行える。
【００３０】
なお、上述してきた実施形態の照明装置は発電所内、地下鉄構内など様々な箇所に採用することができる。
【符号の説明】
【００３１】
２０   照明装置
２１   筐体
２２   ＬＥＤライト
２３   ライト用支柱
２７   底面板
２８   左側面板
２９   右側面板
３０   正面板
３１   背面板
３２   上面板
３４   正面カバー部
３６   背面カバー部
３８   計測用コネクタ
４０   コネクタ
４２   電源ケーブル
４３   ライト制御コネクタ
４４   電源スイッチ
４６   ライトスイッチ
４８   電源ライト
５０   充電中ライト
５２   Ｌ字固定具
５４   取っ手
５６   ねじ
【図１】
0005853037.tif 000002
【図２】
0005853037.tif 000003
【図３】
0005853037.tif 000004
【図４】
0005853037.tif 000005
【図５】
0005853037.tif 000006